(57)【要約】      （修正有）【課題】テープを被覆するとともに、カッターを収納することができるテープカッター台を提供する。【解決手段】プラスチックで形成した本体１０と、その中央に穿設したテープ２０と、本体の上端縁部に設けられたテープを引き出す切断部と、回動自在で蓋を合わせるように使用するカッター片１４とを含んでなり、本体の上端縁部に設けられた切断部は一端にカッター片を回動自在に設けるために供する枢軸座１３が設けられ、該枢軸座の端縁部の切断部の内側には延伸板１７が設けられ、延伸板が切断部の中段まで延伸し、比較的大きな溝１８を形成し、該溝の長さがカッター片の切断部の底部の凸縁面と延伸板の端縁部とを連結されたテープの長さの４９％以上で、切断部の内側に比較的大きなテープを引き出す溝を形成し、テープを切断後、カッター片を蓋するように合わせて湾曲して弧状を呈する溝に収納する。【選択図】図１
0003154188.tif 000002
【実用新案登録請求の範囲】
【請求項１】
プラスチックで形成した本体と、その中央に枢軸し穿設したテープと、本体の上端縁部に設けられたテープを引き出す切断部と、回動自在で蓋を合わせるように使用するカッター片とを含んでなり、
本体の上端縁部に設けられた切断部は一端にカッター片を回動自在に設けるために供する枢軸座が設けられ、該枢軸座の端縁部の切断部の内側には延伸板が設けられ、延伸板が切断部の中段まで延伸し、比較的大きな溝を形成し、該溝の長さがカッター片の切断部の底部の凸縁面と延伸板の端縁部とを連結されたテープの長さの４９％以上で、切断部の内側に比較的大きなテープを引き出す溝を形成し、テープを切断後、カッター片を蓋するように合わせて湾曲して弧状を呈する溝に収納し、簡単で安全に収納する目的を達成する構造からなることを特徴とするテープカッター台。
【請求項２】
前記本体の切断部の延伸板が末端の溝内に桿フレーム部材を設けてなり、テープを収納する場合、湾曲し弧状を描き方向をガイドし、テープを収納するために便利である構造からなることを特徴とする請求項１に記載のテープカッター台。
【請求項３】
前記延伸板が、表面に凹凸のある粗い面を形成することを特徴とする請求項1に記載のテープカッター台。
【請求項４】
前記桿フレーム部材が、板片、或いは円形の桿状に形成されることを特徴とする請求項２に記載のテープカッター台。
【考案の詳細な説明】
【技術分野】
【０００１】
この考案は、テープカッター台に関し、特に内部テープを設けて好みの長さにカットして使用することができるテープカッター台に関する。
【背景技術】
【０００２】
従来のテープカッター台は通常、固定して設けるための台座を具えてなり、卓上に設けて固定して使用する。
【０００３】
携帯用のテープカッター台は通常、開放された形態に形成する。
【０００４】
即ち、二つの片体を接続して成形した片体状の本体を供えてなり、中間が平板で接続される。
【０００５】
組み合わせると、自然にＵ字状を呈し、中間の平板の一端には接続された鋸の歯状の切断口を具えてなる。
【０００６】
Ｕ字状の対向する二つの平面上に設けられたそれぞれ半円形の対向する凹凸を係合して組み合わせる軸桿が設けられ、テープの軸心になる。
【０００７】
テープを引き出すと、切断口で切断する。従来の携帯用のテープカッター台であるため、様々な端縁部や面が外部に接触した状態に形成される。
【０００８】
テープを切断するために供する切断口は凸出して外側に露出しているため、テープ及び切断口を適宜に被覆して保護することができず、外部の塵などに汚染、或いは汚れを受け易く、接触するとカッターで傷つくなど使用上の安全性にも問題がある。
【０００９】
図９から図１１は、完全に被覆され、簡単に切断することができる携帯用のテープカッター台を示したものである。
【００１０】
該テープカッター台は、対向する半円形の本体３０に被覆され、テープ３１を回動自在に設けてなる。
【００１１】
外周縁部の上端にはわずかに凹設した切断部３２を具えてなり、該切断部３２の一端には枢接座３３が設けられ、外側に蓋板状のカッター片３４を直接設けて外側を被覆するために供する。
【００１２】
枢接座３３の底端縁部には延伸板３５が設けられ、他端にはテープを引き出すための開口３６が形成される。
【００１３】
よって、テープが本体３０の内部に被覆、収納されるため、安全に携帯でき、汚れを防ぐ特性を具える。
【００１４】
使用する場合、蓋板状のカッター片３４を外側へ軸回転させて適宜な位置に斜めに設ける。
【００１５】
テープは一端を切断口の一側面に設けられ外側に露出した溝３６から引き出し、カッター片３４の上端のカッターで切断し使用する。
【００１６】
テープは内側面に粘着性を具えているため、テープを直接切断すると同時にカッター上に粘着、固定することができる。
【００１７】
使用後、カッター片３４を軸回転して蓋を合わせると、テープが下方向に軸回転し、外側に凸出して湾曲した弧状を呈する。
【００１８】
よって、切断部３２の外側に凸出して蓋を合わせたようになり、カッター片３４の収納、操作する使用上の安全性に影響を与えるだけでなく、テープが外側に凸出して露出するため、収納時の衛生上の安全性における欠点が形成される。
【００１９】
一般的には上述の使用上における問題点を克服するには、図１２に開示するように手指で予め斜めに置かれたテープの中段の中に浮いた部分を押さえて補助する。
【００２０】
テープが延伸板３５とカッター片３４の蓋板を合わせた内側端縁部に挟持空間内に収納されて便利で、次の使用に便利である。
【００２１】
よって、一般に延伸板３５の面上には通常、粗い目の面が設けられ、テープの粘着面が粘着しすぎて次の使用に不便が生じることを防ぐ。
【００２２】
テープを収納する場合に不便で、一般に医療用のテープを使用する場合、使用後に手指で押さえて収納する必要があり、衛生上の安全性が疑わしく、使用状にも非常に不便である。
【考案の開示】
【考案が解決しようとする課題】
【００２３】
この考案は、テープを被覆するとともに、カッターを収納することができるテープカッター台を提供することを課題とする。
【課題を解決するための手段】
【００２４】
そこで、本考案者は従来の技術に見られる欠点に鑑みて鋭意研究を重ねた結果、プラスチックで形成した本体と、その中央に枢軸し穿設したテープと、本体の上端縁部に設けられたテープを引き出す切断部と、回動自在で蓋を合わせるように使用するカッター片とを含んでなり、
本体の上端縁部に設けられた切断部は一端にカッター片を回動自在に設けるために供する枢軸座が設けられ、該枢軸座の端縁部の切断部の内側には延伸板が設けられ、延伸板が切断部の中段まで延伸し、比較的大きな溝を形成し、該溝の長さがカッター片の切断部の底部の凸縁面と延伸板の端縁部とを連結するテープの長さの４９％以上で、切断部の内側に比較的大きなテープを引き出す溝を形成し、テープを切断後、カッター片を蓋するように合わせて湾曲して弧状を呈する溝に収納し、簡単で安全に収納する目的を達成する構造からなるテープカッター台によって課題を解決できる点に着眼し、かかる知見に基づいて本考案を完成させた。
【００２５】
以下、この考案について具体的に説明する。
請求項１に記載のテープカッター台は、プラスチックで形成した本体と、その中央に枢軸し穿設したテープと、本体の上端縁部に設けられたテープを引き出す切断部と、回動自在で蓋を合わせるように使用するカッター片とを含んでなり、
本体の上端縁部に設けられた切断部は一端にカッター片を回動自在に設けるために供する枢軸座が設けられ、該枢軸座の端縁部の切断部の内側には延伸板が設けられ、延伸板が切断部の中段まで延伸し、比較的大きな溝を形成し、該溝の長さがカッター片の切断部の底部の凸縁面と延伸板の端縁部とを連結するテープの長さの４９％以上で、切断部の内側に比較的大きなテープを引き出す溝を形成し、テープを切断後、カッター片を蓋するように合わせて湾曲して弧状を呈する溝に収納し、簡単で安全に収納する目的を達成する構造からなる。
【００２６】
請求項２に記載のテープカッター台は、請求項１における本体の切断部の延伸板が末端の溝内に桿フレーム部材を設けてなり、テープを収納する場合、湾曲し弧状を描き方向をガイドし、テープを収納するために便利である構造からなる。
【００２７】
請求項３に記載のテープカッター台は、請求項１における延伸板が、表面に凹凸のある粗い面を形成する。
【００２８】
請求項４に記載のテープカッター台は、請求項２における桿フレーム部材が、板片、或いは円形の桿状に形成される。
【考案の効果】
【００２９】
この考案によるテープカッター台は、カッター片を収納し、安全で使用上便利で実用的であるという効果を有する。
【考案を実施するための最良の形態】
【００３０】
この考案は、テープを被覆するとともに、カッターを収納することができるテープカッター台であって、プラスチックで形成した本体と、その中央に枢軸し穿設したテープと、本体の上端縁部に設けられたテープを引き出す切断部と、回動自在で蓋を合わせるように使用するカッター片とを含んでなり、
本体の上端縁部に設けられた切断部は一端にカッター片を回動自在に設けるために供する枢軸座が設けられ、該枢軸座の端縁部の切断部の内側には延伸板が設けられ、延伸板が切断部の中段まで延伸し、比較的大きな溝を形成し、該溝の長さがカッター片の切断部の底部の凸縁面と延伸板の端縁部とを連結するテープの長さの４９％以上で、切断部の内側に比較的大きなテープを引き出す溝を形成し、テープを切断後、カッター片を蓋するように合わせて湾曲して弧状を呈する溝に収納し、簡単で安全に収納する目的を達成する構造からなるテープカッター台の構造と特徴を詳述するために具体的な実施例を挙げ、図示を参照にして以下に説明する。
【実施例】
【００３１】
図１から図４は、この考案のテープカッター台を示したものである。
【００３２】
図面に開示するように、この考案のテープカッター台はテープを切断した後、カッター片を切断口に簡単に収納することができる。
【００３３】
この考案のテープカッター台は、従来使用されている製品と外観が略同じで、プラスチックを配合し、被覆する形態に形成する。
【００３４】
本体１０は略半円形を呈し、対向して組み合わせてなり、内部に互いに挿設して接続し、テープ２０を穿設するために供する凸出した回転軸１１を具えてなる。
【００３５】
本体１０は上方端縁部にわずかに凹設した切断部１２を具えてなる。
【００３６】
該切断部１２は一端に枢軸座１３が設けられ、切断用の蓋板状のカッター片１４を枢接するために供し、カッター片１４を回動自在に動かして切断部１２に蓋を合わせることができ、他端には本体１０両側に対向する係合凹溝１５が予め設けられ、カッター片１４両側に凸出した凸部１６が蓋を合わせると係合凹溝１５に係合して固定される。
【００３７】
よって、カッター片１４が本体１０の環状面の内側に鋸の歯状のカッターを凹設することができる。
【００３８】
切断部１２は、枢軸座１３の底端縁部に本体１０の外観と同様の弧度を具えた延伸板１７を供えてなる。
【００３９】
該延伸板１７は、切断部１２の中段まで延伸し、延伸板の末端には比較的大きな引き出し口１９が形成され、テープを簡単に組み合わせ、引き出すために便利である。
【００４０】
テープを切断すると、切断する場合に力を受けるため、カッターの底部の凸縁面Ａに隣接する部分と、延伸板１７が延伸した端縁部Ｂに粘着、固定し、二つの点が固定された連結面を形成する。
【００４１】
カッター片１４を軸回転して収納する場合、宙に浮いて連結したテープが、凸縁面Ａと端縁部Ｂにより二点で粘着固定されて、カッター片１４を蓋するように合わせると自然と簡単に湾曲した弧状の溝１８に収納されて、簡単で安全に収納できるという実際の使用上の目的を達成する。
【００４２】
溝１８全体の長さはテープが固定連結される凸縁面Ａと端縁面Ｂの間の長さの４９％以上に形成し、テープを安全で簡単に収納するために便利である。
【００４３】
溝１８は、上述の連結されたテープの４９％以上の長さが必要である以外に、テープを湾曲した弧状にガイドして収納するために便利なように、溝１８の延伸板１７の末端に隣接する位置に一本の細い桿状の桿フレーム部材１９を設ける。
【００４４】
図５から図８に開示するように、延伸板１７の末端と適宜な幅を設けて、テープを延伸板１７の末端から引き出す。
【００４５】
切断し、カッター片１４で蓋を合わせると、テープを湾曲して収納し、桿フレーム部材１９に沿って当接してガイドされ、湾曲した弧状の溝１８内部にスムーズに収納される。
【００４６】
桿フレーム部材１９に当接してガイドし、テープの面が自然にＳ字状の湾曲した弧を描いて収納される。
【００４７】
溝１８の内部に収納される湾曲の長さを縮小することができる。
【００４８】
新しいテープ体２０を組み合わせて使用する場合、テープの面とテープ２０の外縁面を収納する。
【００４９】
よって、比較的小さい弧を描いて湾曲して収納し、互いに干渉する状況が発生することがなく、テープの引き出しと収納が安全でスムーズに実施でき、テープを切断して安全に収納することができる。
【００５０】
携帯用のテープカッター台は、さらに衛生的、実用的で、安全で便利であるという目的を達成することができる。
【００５１】
この考案のテープの切断部の収納の異なる実施形態を開示する。
【００５２】
切断部１２の枢軸座１３の底端縁部を通して延伸板１７を延伸する長さを調整し、溝１８が引き出したテープを切断するときに位置決めし、連結する凸縁面Ａと端縁面Ｂ間の長さの４９％以上よりも大きくして（溝の長さが小さすぎると収納することができない）、テープをカッター片１４の蓋を合わせる動きに沿って本体１０に収納することが便利で、切断部１２の外部に露出した溝１８に簡単に収納することができる。
【００５３】
よって、カッター片１４を回動自在に使用することを干渉することがないだけでなく、延伸板１７の外端縁部との間に設けられた桿フレーム部材１９に合わせて湾曲しガイドすることを補助してテープをスムーズに収納することができる。
【００５４】
また、桿フレーム部材１９は板片状か、或いは円形の桿体フレーム状に設けてもよく、収納するテープを内側に湾曲、阻害するために便利で、テープの面が自然にＳ状の湾曲した弧状を呈して収納する空間を有効に縮小し、安全に収納するという需要を満たすことができる。
【００５５】
上述の様々な異なる実施形態は、主に切断部上に比較的大きな溝を設けてなる。
【００５６】
よって、テープを引き出して切断する場合、カッター片１４の湾曲した弧状面が適宜な外部に露出した空間を具えてなるため（溝が大きすぎ、テープを引き出して挟持する空間が小さすぎると、テープを引き出すことが不便になる）、テープを引き出すために便利で、切断、或いはテープの引き出しが不便な状態が発生することがない。
【００５７】
また、溝１８を大きくすることができる構造を介してテープ２０の装着及びテープの引き出しを便利にして、携帯用における便利さに影響を与えることがなく、テープを被覆して設け、衛生的な安全性を維持する。
【００５８】
また、テープカット台の外観が完全な美観を保持するとともに、衛生的に使用する安全性を具える。
【００５９】
また、切断部がテープと同時に収納される。
【００６０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００６１】
【図１】この考案のテープカッター台を示した分解図である。
【図２】この考案のテープカッター台を組み立てた状態を示した斜視図である。
【図３】この考案のテープカッター台のテープを引き出して切断する状態を示した説明図である。
【図４】この考案のテープカッター台の操作方法を示した説明図である。
【図５】この考案のテープカッター台の切断部の他の実施形態を示した分解図である。
【図６】図５に開示するテープカッター台を組み立てた状態を示した斜視図である。
【図７】図５に開示するテープカッター台の使用状態を示した説明図である。
【図８】図５に開示するテープカッター台のテープを切断した後に収納する状態を示した説明図である。
【図９】従来の携帯用のテープカッター台を示した斜視図である。
【図１０】図９に開示するテープカッター台のテープを切断した後に収納する状態を示した斜視図である。
【図１１】図１０に開示するテープカッター台のテープを収納する場合の粘着不良な状態を示した説明図である。
【図１２】図９に開示するテープカッター台のテープを湾曲を補助して収納する状態を示した説明図である。
【符号の説明】
【００６２】
１０               本体
１１               回転軸
１２               切断部
１３               枢軸座
１４               カッター片
１５               係合凹溝
１６               凸部
１７               延伸板
１８               溝
１９               引き出し口
２０               テープ
３０               本体
３１               テープ
３２               切断部
３３               枢接座
３４               カッター片
３５               延伸板
３６               溝
Ａ                 凸縁面
Ｂ                 端縁部
【図１】
0003154188.tif 000003
【図２】
0003154188.tif 000004
【図３】
0003154188.tif 000005
【図４】
0003154188.tif 000006
【図５】
0003154188.tif 000007
【図６】
0003154188.tif 000008
【図７】
0003154188.tif 000009
【図８】
0003154188.tif 000010
【図９】
0003154188.tif 000011
【図１０】
0003154188.tif 000012
【図１１】
0003154188.tif 000013
【図１２】
0003154188.tif 000014